(57)【要約】      （修正有）【課題】使用者の乳頭及びその周辺部の表面を保護し、蒸れ、炎症、塵埃等の付着、不衛生化といった、貼着剤と長時間接触することによる装着部への悪影響を除去或いは抑制しうる貼着式ブラジャーを提供する。【解決手段】片側のカップ形状であり弾性機能を有した基材層１と、基材層１の裏側の一部に接着形成された貼着層２とからなる一対のカップを具備し、裏側に露出する貼着層１の貼着面を使用者の皮膚に貼着して装着する。前記カップは、カップ裏側の一部分である間欠領域にて貼着層を間欠させた貼着間欠部３を有し、この貼着間欠部３に基材層１の裏側が露出する。【選択図】図４
0003143820.tif 000002
【実用新案登録請求の範囲】
【請求項１】
片側のカップ形状であり弾性機能を有した基材層と、基材層の裏側の一部に接着形成された貼着層とからなる一対のカップを具備し、裏側に露出する貼着層の貼着面を使用者の皮膚に貼着して装着するブラジャーであって、前記カップは、カップ裏側の一部分である間欠領域にて貼着層を間欠させた貼着間欠部を有し、この貼着間欠部にて基材層の裏側が露出してなることを特徴とする貼着式ブラジャー。
【請求項２】
貼着間欠部の形成される間欠領域が、貼着により使用者の乳頭を含む閉曲線で囲われた領域であることを特徴とする請求項１記載の貼着式ブラジャー。
【請求項３】
貼着間欠部が、貼着により使用者の乳頭を含む中央寄りの中央間欠領域に形成された中央間欠部と、中央間欠領域の周囲の散点領域に散点して形成された散点間欠部とから構成されることを特徴とする請求項１記載の貼着式ブラジャー。
【請求項４】
貼着間欠部に、基材層を貫通する複数の貫通孔が設けられたことを特徴とする請求項１、２または３のいずれかに記載の貼着式ブラジャー。
【請求項５】
貼着間欠部に露出する基材層の裏部であって、貼着により使用者の乳頭を収容しうる位置に、間欠領域より小さい基材窪み穴が形成されたことを特徴とする請求項１、２、３または４のいずれかに記載の貼着式ブラジャー。
【請求項６】
カップ裏側の一部分であって間欠領域以外の貼着部に、貼着面をくぼませた複数の貼着窪み穴を設けたことを特徴とする請求項１、２、３、４または５のいずれか記載の貼着式ブラジャー。
【考案の詳細な説明】
【技術分野】
【０００１】
本考案は、使用者の乳房に貼着させて使用する貼着式ブラジャーに関する。
【背景技術】
【０００２】
従来、乳房間溝及び高いバスとラインを得るストラップ、バックのないブラジャー構造として、ブラジャーカップから構成され、各ブラジャーカップには使用者の皮膚に接する内表面層上に粘着剤層が設けられて、使用者の皮膚上に粘着支持されるものが存在した（例えば、特許文献１参照）。
【特許文献１】実用新案登録第３０９５３４９号公報
【考案の開示】
【考案が解決しようとする課題】
【０００３】
しかしながら、前記従来のブラジャーは、使用者の皮膚に接する粘着剤層が、使用者の乳頭及びその周辺部を含む裏側全体へ略等厚さで一様に及ぶものである。このため、突起器官である乳頭やその周辺部は装着によって粘着剤層に圧接されたまま押しつぶされた状態となり、装着時の収まりに欠け、装着感のよいものとはいえなかった。
【０００４】
また使用者の乳頭やその周辺部は授乳のための重要器官であってデリケートな部位であるにも拘わらず、前記従来のブラジャーは、これら部位の表面の保護に欠けるものであった。すなわち貼着剤と長時間接触することによって、例えば蒸れ、炎症、塵埃等の付着、不衛生化といった、様々な悪影響を及ぼす可能性があるものであった。
【０００５】
そこで本考案は、使用者の乳頭及びその周辺部をはじめとする必要部位の収まりが良く、また必要部位の表面を保護することで、蒸れ、炎症、塵埃等の付着、不衛生化といった、貼着剤と長時間接触することによる装着部への悪影響を除去或いは抑制しうる貼着式ブラジャーを提供することを課題とする。
【課題を解決するための手段】
【０００６】
前記課題を解決するため、下記（１）〜（６）の手段を採用するものとしている。
【０００７】
（１）本考案の貼着式ブラジャーは、片側のカップ形状であり弾性機能を有した基材層１と、基材層１の裏側の一部に接着形成された貼着層２とからなるカップを左右一対具備し、裏側に露出する貼着層の貼着面を使用者の皮膚に貼着して装着するブラジャーであって、前記カップは、カップ裏側の一部分である間欠領域３ａにて貼着層を間欠させた貼着間欠部３を有し、この貼着間欠部にて基材層２の裏側が露出してなることを特徴とする。
【０００８】
基材層１の裏側の一部に貼着間欠部３を有して、貼着層２を、基材層１の裏側全面ではなく一部面に接着形成することで、カップで覆われる胸部のうち必要な部位を保護することができる。
【０００９】
（２）前記貼着式ブラジャーにおいて、貼着間欠部３の形成される間欠領域３ａが、貼着により使用者の乳頭Ｎを含む閉曲線で囲われた領域であることが好ましい。
【００１０】
使用者の乳頭Ｎやその周辺部は授乳のための重要器官であり、デリケートな部位であるから、特に高度な保護の必要性がある。間欠領域３ａが使用者の乳頭Ｎや乳暈Ａを含むことで、この高度な保護の必要性に応え得るものとなる。
【００１１】
またこれらは突起あるいは膨出器官であり、貼着層のない貼着間欠部３に収まり良く収容することができる。このため装着位置を特定しやすく、また装着後も容易に外れにくいものとなる。
【００１２】
（３）前記いずれか記載の貼着式ブラジャーにおいて、貼着間欠部３が、貼着により使用者の乳頭Ｎを含む中央寄りの領域である中央間欠領域３１ａに形成された中央間欠部３１と、中央間欠領域３１ａの周囲の散点領域３２ａにて散点状に複数形成された散点間欠部３２とから構成されることが好ましい。
【００１３】
これは例えば後述の実施例２（図６、７）のような形態であって、中央間欠部３１によって乳頭Ｎや乳暈Ａを保護、収容しながら、散点間欠部３２によって乳房表面の通気や汗抜きの機能、或いはさらに粘着力の減調整を果たすものとなる。これは粘着剤の密着による悪影響をより抑制し得るものである。
【００１４】
（４）前記いずれか記載の貼着式ブラジャーにおいて、貼着間欠部３の領域内（間欠領域３ａ内）に、基材層１を貫通する複数の、間欠領域３ａより小さい貫通孔３ｈが設けられてなることが好ましい。
【００１５】
これは例えば後述の実施例１、２（図１〜７）のような形態である。これにより、保護すべき間欠領域３ａの部位における通気性を確保し、粘着層２による粘着支持機能を保持しつつ、汗溜まりや蒸れを保護すべき間欠領域３ａ内で局所的に防ぐことができる。
【００１６】
（５）前記いずれか記載の貼着式ブラジャーにおいて、貼着間欠部３に露出する（間欠領域３ａ内の）基材層１の裏部であって、貼着により使用者の乳頭Ｎを収容しうる位置に、間欠領域３ａ（好ましくは中央間欠部３１の間欠領域３ａ）より小さい基材窪み穴１ｄが形成されてなることが好ましい。
【００１７】
これは例えば後述の実施例１（図１〜５）のような形態である。基材層の間欠領域３ａ内の裏面に段状の窪み穴１３を設けることで、間欠領域３ａ内の通気性をより高めることができる。また突起器官である乳頭Ｎの形状に応じた当接形状によって、より納まりが良く、装着時の圧迫を低減できるものとなる。
【００１８】
（６）前記いずれか記載の貼着式ブラジャーにおいて、カップ裏側の一部分であって貼着層２の間欠領域３ａ以外の非間欠領域に、貼着面を窪ませて貼着層２厚さを小さいものとした複数の貼着窪み穴２ｄを設けることが好ましい。
【００１９】
これは例えば後述の実施例３（図８〜１０）のような形態である。この貼着窪み穴２ｄによって、皮膚と粘着層の間に汗溜まりを形成して蒸れを全体的に防ぐと共に、粘着領域を減調整することで非間欠領域の皮膚でも保護効果を有するものとなる。
【考案の効果】
【００２０】
上記手段の採用により、本考案の貼着式ブラジャーは、使用者の乳頭Ｎ及びその周辺部をはじめとする必要部位の収まりがよいものとなり、また必要部位の表面を保護することができる。これにより、蒸れ、炎症、塵埃等の付着、不衛生化といった、貼着剤と長時間接触することによる装着部への悪影響を除去或いは抑制する貼着式ブラジャーを提供しうるものとなる。
【考案を実施するための最良の形態】
【００２１】
本考案の形態について、本考案の実施例として示す各図と共に説明する。図１ないし図４は本発明の実施例１の貼着式ブラジャーであり、それぞれ正面説明図、背面説明図、図１の側面視Ａ−Ａ断面図、使用状態での側面視構造説明図を示す。また図５は実施例１の貼着式ブラジャーの製造方法の各工程（（ａ）プランジャ当接工程、（ｂ）粘着層形成工程、（ｃ）被覆工程、（ｄ）連結具取付工程の説明図）の説明図を示す。
【００２２】
図６および図７は実施例２の貼着式ブラジャーであり、背面視説明図および図６の側面視Ａ−Ａ断面図を示す。図８ないし図１０は実施例３の貼着式ブラジャーであり、それぞれ正面説明図、背面説明図、および図８の側面視Ａ−Ａ断面図を示す。
【００２３】
本考案の貼着式ブラジャーは、使用者の乳房を貼着させるための貼着層が背面側に設けられたカップＣを左右それぞれ一対具備し、裏側に露出する貼着層の貼着面を使用者の皮膚に貼着して装着するブラジャーである。
【００２４】
左右それぞれのカップＣは、基本的な構成として、弾性機能を有した基材層１と、基材層１の裏側の一部に接着形成された貼着層２とからなる。
【００２５】
前記カップＣは、カップ裏側の一部分である間欠領域３ａにて貼着層を間欠させた貼着間欠部３を有し、この貼着間欠部にて基材層２の裏側が露出する。使用者の乳頭Ｎをはじめとする必要な保護部位を、この裏側の貼着間欠部３に収容して装着する。必要な保護部位は、粘着層２のない間欠領域３ａの基材層の裏面に当てられ、粘着剤との接触を回避することができる。以下、実施例に基づき各構成を詳述する。
【実施例１】
【００２６】
（基材層１）
基材層１はカップＣの形状を保持する主材構成層であり、一体的な片側カップの立体形状をした弾性成形体である。シリコンを主成分とする非発泡の合成樹脂のほか、ポリウレタン等の発泡成形樹脂である合成スポンジ、或いは海綿加工物である天然スポンジからなるものとし得る。合成或いは天然スポンジのような通気性を有するものであれば、間欠領域にてより通気性の高いカップＣとなる。
【００２７】
基材層１の裏面は貼着層２を塗布により固着させるための生地の貼り付けや表面粗化等の下地処理を行なうことが好ましい。
【００２８】
本実施例の基材層１は、ポリウレタンの合成スポンジからなり、その表裏面それぞれにメッシュ地の布を貼り合わせたものからなる。この構成により、表裏面の形状保持と通気性、さらに間欠領域３ａとして露出した部分の肌触りの良さ、使用者の乳頭Ｎ等の保護部分への当たりの柔らかさを確保するものとしている。
【００２９】
実施例にて間欠領域３ａはそれ自体が円形であると共に、露出した基材層１の裏面が中央の一部で一回り小さい円形に窪んだ基材窪み穴１ｄを有して段付形状に形成される。間欠領域３ａの周囲円形と、基材窪み穴１ｄとの間のドーナツ形部分は弾性を有して裏側に膨出する（図３参照）。
【００３０】
（貼着層２）
貼着層２は、基材層１の裏面の周囲近傍を含む領域内のうち、間欠領域を除く部分に略均一に固着形成されて、それ自体の裏面を使用者の皮膚に貼着してカップを貼着支持させるものである。また貼着層２は、基材層１の弾性変形に追従して弾性変形することで、装着時に裏面へ貼着力が継続的に発現し、貼着および引き剥がしを繰り返し行なうことができる。
【００３１】
例えばシリコン樹脂を主成分とした常温より高いガラス転移点の貼着原剤２０を、図５に示すように、基材層１の裏面へスプレーＳで塗布することによって形成される。層厚さは基材層１の三分の一ないし基材層１と略等厚であることが好ましい。
【００３２】
実施例１では中央付近の間欠領域３ａを除き、その周囲から基材層１の裏面周縁にまで亘って、基材層１の厚さの略三分の一厚さに略等厚さに均一塗布形成してなる。このほか、実施例２の散点間欠部３２のような貫通孔を有していても良く、実施例３のような貼着窪み穴２ｄを有していてもよい。
【００３３】
なお貼着層２は有色又は無色透明、或いは有色又は無色の半透明であって、光透過性を有するものとしてもよい。
【００３４】
（貼着間欠部３）
貼着間欠部３は貼着層２が基材層１の裏面で一部に切り欠かれて間欠領域３ａを形成した部分である。この間欠領域貼３ａでは貼着層２を有さずに基材層１の裏面が露出する。実施例ではカップＣのうち、装着によって使用者の乳頭Ｎおよび乳暈Ａの少なくとも中央寄りの一部分に当たる中央付近の位置を、真円形の間欠領域３ａとし、ここに唯一の貼着間欠部３を設けている。
【００３５】
間欠領域３ａの形状は任意のものとすることができ、実施例２のような５枚の花びらを模した部分円形の集合形状、実施例３のような倒立略三角形等、様々な形状を採用することで、任意形状の保護のほか、美観に訴えるものとなる。
【００３６】
また本実施例では中央に１つだけ、カップＣ全体の１０分の一面積で設けているが、実施例２のように比較的大きな中央間欠部３１と、その周囲にて小さな複数個を点状に散設した散点間欠部３２とからなるものとしても良い。
【００３７】
貼着間欠部３の周縁は図４等の断面図に示すように、基材層１が内側へ窪むと共に貼着層２が周縁側部にまで回りこんで固着してなる。これにより、使用による貼着層の剥がれや欠損が起こりにくく、耐久性を備えたものとなっている。
【００３８】
貼着間欠部３には基材窪み穴１ｄの中央に一つの中央貫通孔３ｄｈが形成され、その周辺のドーナツ形状部分に複数の貫通孔３ｈが等間隔に形成される。
【００３９】
（被覆布４）
基材層１の表側は伸縮性を有した被覆布４によって被覆される。被覆布４はカップＣの表面に表出する表面の体裁を整えるものであり、レースや模様等の各種装飾を施したものとすることができる。特に暗色の生地を使用するか、間欠領域３ａを覆うようにレース装飾を施すことで、基材層１の貼着間欠部３での色や光の透過を防止することが好ましい。本実施例では黒の伸縮布を使用している。
【００４０】
被覆布４は、カップ形状の周縁に沿う枠縁布５によって、周囲が縫合される。枠縁布５は貼着層２を形成したカップＣの表裏面を折って覆うように形成される。パイピング材からなるものとしても良い。
また実施例の枠縁布５はカップ周縁の長さよりも長く、カップＣの左右連結部分よりに枠縁布５の両端が残突出するように形成され、この両端を重ねて縫合することで、左右連結のための枠紐５２が形成される。
【００４１】
枠縁布５が貼着層２の周囲を囲うことで、貼着層２の圧縮変形による外周方向へのはみ出しを抑止しうる。すなわち、繰り返し使用可能な貼着式ブラジャーの使用時には、貼着層２が破断したり、伸びて薄化したりする場合があった。これに対して、貼着層２の外縁より外側にて貼着層２の平面視外側を覆うように、且つ、貼着層２よりも上方へ膨出するように枠縁布５を形成し、貼着層２の外縁形状の歪を周囲から押さえ、枠縁布５の上面側の縁を超えて貼着層２がはみ出さないものとなる。
【００４２】
貼着層２を形成した上部のうち、カップＣの左右連結部分寄りの一部分には、隅当て布６が縫着形成される。隅当て布６は、枠紐５２を連結具７の通し孔７ｈに通した後に固着するための裏側の当て布であると共に、貼着層２の左右連結部付近を保護し、また美観を呈するものとなっている。
【００４３】
（使用方法）
本発明の貼着式ブラジャーは、図４に示すように、乳頭Ｎや乳暈Ａを貼着間欠部３に収容し、乳房Ｆへ貼着層２を貼着させて使用する。また左右のカップＣは図１に示すように連結具７で連結する。
【００４４】
（製造方法）
本発明の貼着式ブラジャーは、図５に示すように、（ａ）プランジャ当接工程、（ｂ）粘着層形成工程、（ｃ）被覆工程、（ｄ）連結具取付工程を順に経ることによって製造される。
（ａ）プランジャ当接工程はプランジャーＰを基材層１のみで形成した原材に押し当てる工程である。プランジャーＰには基材窪み穴１ｄに対応する段部Ｐｇが中央に形成され、また段部Ｐｇの中央及びその周囲に、貫通孔に対応する貫通突起Ｐｐが形成されており、これにより基材窪み穴１ｄ、貫通孔３ｈが形成される。また本工程によってプランジャＰを当接したまま（ｂ）粘着層形成工程で粘着材層を塗布形成することで、美麗な貼着間欠部３が正確に形成される。
【実施例２】
【００４５】
実施例２の貼着間欠部３は、背面視中央付近の中央間欠領域３１ａに設けられた中央間欠部３１と、その周囲の散点領域３２ａへ点状に散設された小円形の複数の散点間欠部３２とからなる。また中央間欠部３１には散点間欠部３２と同形、同配列パターンの複数の貫通孔３ｈが散設される。他の特記しない構成は実施例１と同様である。
【実施例３】
【００４６】
実施例３は上述の実施例と異なり、貼着間欠部３の周囲へ多数の貼着窪み穴２ｄを均一パターンで有する。貼着間欠部には上記実施例と同様、基材層の裏側が露出するものの、基材窪み穴１ｄを有さない。また被覆布４、枠縁布５１、隅当て布６をいずれも有さない。また枠紐５２を有さない代わりに、延出フィルム５３が延出される。
【００４７】
以上が本考案の主たる各構成であるが、本考案は上述の実施例に限定されること無く、例えば、必要に応じてストラップ等の固定補助具を具備させるなど、本考案の趣旨を逸脱しない範囲で種々の変形、置換、組み合わせが可能である。
【図面の簡単な説明】
【００４８】
【図１】本発明の実施例１の貼着式ブラジャーの正面説明図。
【図２】本発明の実施例１の貼着式ブラジャーの背面説明図。
【図３】図１に示す実施例１の貼着式ブラジャーの側面視Ａ−Ａ断面図。
【図４】実施例１の貼着式ブラジャーの使用状態の構造説明図。
【図５】実施例１の貼着式ブラジャーの製造方法を示す各工程の説明図。
【図６】実施例２の貼着式ブラジャーの背面視説明図。
【図７】図６に示す実施例２の貼着式ブラジャーの側面視Ａ−Ａ断面図。
【図８】実施例３の貼着式ブラジャーの正面説明図。
【図９】実施例３の貼着式ブラジャーの背面説明図。
【図１０】図８に示す実施例３の貼着式ブラジャーの側面視Ａ−Ａ断面図。
【符号の説明】
【００４９】
１    基材層
１ｄ  基材窪み穴
２    貼着層
２０  貼着原剤
２ｄ  貼着窪み穴
３    貼着間欠部
３１  中央間欠部
３２  散点間欠部
３ａ  間欠領域
３１ａ  中央間欠領域
３ｄｈ  中央貫通孔
３ｈ  貫通孔
４    被覆布
５１  枠縁布
５２  枠紐
５３  延出フィルム
６    隅当て布
７    連結具
７ｈ  通し孔
Ａ    乳暈
Ｃ    カップ
Ｆ    乳房
Ｎ    乳頭
Ｐ    プランジャー
Ｐｇ  段部
Ｐｐ  貫通突起
【図１】
0003143820.tif 000003
【図２】
0003143820.tif 000004
【図３】
0003143820.tif 000005
【図４】
0003143820.tif 000006
【図５】
0003143820.tif 000007
【図６】
0003143820.tif 000008
【図７】
0003143820.tif 000009
【図８】
0003143820.tif 000010
【図９】
0003143820.tif 000011
【図１０】
0003143820.tif 000012